【手続補正書】
【提出日】平成25年9月3日(2013.9.3)
【手続補正１】
【補正対象書類名】明細書
【補正対象項目名】発明の名称
【補正方法】変更
【補正の内容】
【発明の名称】撮像装置、画像処理装置、画像処理方法及びプログラム
【手続補正２】
【補正対象書類名】明細書
【補正対象項目名】０００１
【補正方法】変更
【補正の内容】
【０００１】
本発明は、撮像装置、画像処理装置、画像処理方法及びプログラムに関する。
【手続補正３】
【補正対象書類名】明細書
【補正対象項目名】０００６
【補正方法】変更
【補正の内容】
【０００６】
上記目的を達成するため、請求項１に記載の発明は、画像を撮像し、当該画像のデータを出力する撮像手段と、前記撮像手段により出力される画像のデータの撮像条件に対する合成用画像のデータを設定する設定手段と、前記撮像手段により出力された画像のデータから、当該画像のデータの撮像条件に関する情報を抽出する抽出手段と、前記抽出手段により抽出された情報に基づいて、前記撮像手段から出力された画像のデータに前記設定手段により設定された合成用画像のデータを合成する合成手段と、を備えた撮像装置であることを特徴とする。
また、請求項２に記載の発明は、上記請求項１に記載の発明において、前記撮像条件に応じた合成用画像のデータを設定する画面を表示手段に表示させる表示制御手段と、
前記設定手段は、前記表示制御手段により前記表示手段に表示された画面に対するユーザの入力操作により合成用画像のデータを設定することを特徴とする。
【手続補正４】
【補正対象書類名】明細書
【補正対象項目名】０００７
【補正方法】変更
【補正の内容】
【０００７】
また、請求項３に記載の発明は、上記請求項１又は２に記載の発明において、前記撮像手段は、複数の画像のデータを出力し、前記抽出手段により抽出される情報に基づいて、前記撮像手段により出力された複数の画像のデータから、前記合成手段で用いられるべき合成用画像のデータを特定する特定手段を更に備え、前記合成手段は、前記特定手段により特定された合成用画像のデータを用いて前記撮像手段から出力された画像のデータを合成することを特徴とする。
【手続補正５】
【補正対象書類名】明細書
【補正対象項目名】０００８
【補正方法】変更
【補正の内容】
【０００８】
また、請求項４に記載の発明は、上記請求項１乃至３何れかに記載の発明において、前記撮像条件に関する情報とは、画像の明るさ、ホワイトバランス、ISO感度、フォーカス値の何れかの情報であることを特徴とする。
【手続補正６】
【補正対象書類名】明細書
【補正対象項目名】０００９
【補正方法】変更
【補正の内容】
【０００９】
上記目的を達成するため、請求項５に記載の発明は、画像のデータを取得する取得手段と、前記取得手段により取得される画像のデータの撮像条件に対する合成用画像のデータを設定する設定手段と、前記取得手段により取得された画像のデータから、当該画像のデータの撮像条件に関する情報を抽出する抽出手段と、前記抽出手段により抽出された情報に基づいて、前記取得手段により取得された画像のデータに前記設定手段により設定された合成用画像のデータを合成する合成手段と、を備えた撮像装置であることを特徴とする。
【手続補正７】
【補正対象書類名】明細書
【補正対象項目名】００１０
【補正方法】変更
【補正の内容】
【００１０】
上記目的を達成するため、請求項６に記載の発明は、画像を撮像し、当該画像のデータを出力する撮像手段を備える撮像装置が実行する画像処理方法において、前記撮像手段により出力される画像のデータの撮像条件に対する合成用画像のデータを設定する設定ステップと、前記撮像手段から出力された画像のデータから、当該画像のデータの撮像条件に関する情報を抽出する抽出ステップと、前記抽出ステップにて抽出された情報に基づいて、前記撮像手段から出力された画像のデータに前記設定ステップにより設定された合成用の画像のデータを合成する合成ステップと、を含む画像処理方法であることを特徴とする。
【手続補正８】
【補正対象書類名】明細書
【補正対象項目名】００１１
【補正方法】変更
【補正の内容】
【００１１】
上記目的を達成するため、請求項７に記載の発明は、画像を撮像し、当該画像のデータを出力する撮像手段を備える撮像装置のコンピュータを、前記撮像手段により出力される画像のデータの撮像条件に対する合成用画像のデータを設定する設定手段、前記撮像手段から出力された画像のデータから、当該画像のデータの撮像条件に関する情報を抽出する抽出手段、前記抽出手段により抽出された情報に基づいて、前記撮像手段から出力された画像のデータを前記設定手段により設定された合成用画像のデータを用いて合成する合成手段、として機能させるプログラムであることを特徴とする。
【手続補正９】
【補正対象書類名】特許請求の範囲
【補正対象項目名】全文
【補正方法】変更
【補正の内容】
【特許請求の範囲】
【請求項１】
画像を撮像し、当該画像のデータを出力する撮像手段と、
前記撮像手段により出力される画像のデータの撮像条件に対する合成用画像のデータを設定する設定手段と、
前記撮像手段により出力された画像のデータから、当該画像のデータの撮像条件に関する情報を抽出する抽出手段と、
前記抽出手段により抽出された情報に基づいて、前記撮像手段から出力された画像のデータに前記設定手段により設定された合成用画像のデータを合成する合成手段と、
を備えることを特徴とする撮像装置。
【請求項２】
前記撮像条件に応じた合成用画像のデータを設定する画面を表示手段に表示させる表示制御手段と、
前記設定手段は、前記表示制御手段により前記表示手段に表示された画面に対するユーザの入力操作により合成用画像のデータを設定する、
ことを特徴とする請求項１に記載の撮像装置。
【請求項３】
前記撮像手段は、複数の画像のデータを出力し、
前記抽出手段により抽出される情報に基づいて、前記撮像手段により出力された複数の画像のデータから、前記合成手段で用いられるべき合成用画像のデータを特定する特定手段を更に備え、
前記合成手段は、前記特定手段により特定された合成用画像のデータを用いて前記撮像手段から出力された画像のデータを合成する、
ことを特徴とする請求項１又は２に記載の撮像装置。
【請求項４】
前記撮像条件に関する情報とは、画像の明るさ、ホワイトバランス、ISO感度、フォーカス値の何れかの情報である、
ことを特徴とする請求項１乃至３何れかに記載の撮像装置。
【請求項５】
画像のデータを取得する取得手段と、
前記取得手段により取得される画像のデータの撮像条件に対する合成用画像のデータを設定する設定手段と、
前記取得手段により取得された画像のデータから、当該画像のデータの撮像条件に関する情報を抽出する抽出手段と、
前記抽出手段により抽出された情報に基づいて、前記取得手段により取得された画像のデータに前記設定手段により設定された合成用画像のデータを合成する合成手段と、
を備えることを特徴とする画像処理装置。
【請求項６】
画像を撮像し、当該画像のデータを出力する撮像手段を備える撮像装置が実行する画像処理方法において、
前記撮像手段により出力される画像のデータの撮像条件に対する合成用画像のデータを設定する設定ステップと、
前記撮像手段から出力された画像のデータから、当該画像のデータの撮像条件に関する情報を抽出する抽出ステップと、
前記抽出ステップにて抽出された情報に基づいて、前記撮像手段から出力された画像のデータに前記設定ステップにより設定された合成用の画像のデータを合成する合成ステップと、
を含むことを特徴とする画像処理方法。
【請求項７】
画像を撮像し、当該画像のデータを出力する撮像手段を備える撮像装置のコンピュータを、
前記撮像手段により出力される画像のデータの撮像条件に対する合成用画像のデータを設定する設定手段、
前記撮像手段から出力された画像のデータから、当該画像のデータの撮像条件に関する情報を抽出する抽出手段、
前記抽出手段により抽出された情報に基づいて、前記撮像手段から出力された画像のデータを前記設定手段により設定された合成用画像のデータを用いて合成する合成手段、
として機能させることを特徴とするプログラム。